(57)【要約】  ネットワークハンドオーバ方法及び端末が提供される。この方法は、データサービスを無効にする操作命令を受信し、データサービスを無効にする操作命令に従って、端末により現在使用されている第２のネットワークを第１のネットワークにハンドオーバするステップ、又はデータサービスを有効にする操作命令を受信し、データサービスを有効にする操作命令に従って、端末により現在使用されている第１のネットワークを第２のネットワークにハンドオーバするステップを含み、第１のネットワークのネットワーク標準は、ユニバーサル移動通信システム（UMTS）ネットワーク標準又はグローバル移動通信システム（GSM）ネットワーク標準であり、第２のネットワークのネットワーク標準は、ロングタームエボリューション（LTE）ネットワーク標準である。本発明では、UEがデータサービスを無効にし、高速データネットワークを使用しない場合、LTEリソースが自動的に解放され、UEは、2G/3G回線交換ネットワークにフォールバックする。UEがパケット交換データサービスを実行する必要がある場合、UEは、LTEネットワークに再ハンドオーバし、これにより、LTEネットワークリソースを低減する。
2016537895.tif 000002
【特許請求の範囲】
【請求項１】
端末に適用されるネットワークハンドオーバ方法であって、
データサービスを無効にする操作命令を受信し、データサービスを無効にする前記操作命令に従って、前記端末により現在使用されている第２のネットワークを第１のネットワークにハンドオーバするステップ、又は
データサービスを有効にする操作命令を受信し、データサービスを有効にする前記操作命令に従って、前記端末により現在使用されている第１のネットワークを第２のネットワークにハンドオーバするステップを有し、
前記第１のネットワークのネットワーク標準は、ユニバーサル移動通信システム（UMTS）ネットワーク標準又はグローバル移動通信システム（GSM）ネットワーク標準であり、前記第２のネットワークのネットワーク標準は、ロングタームエボリューション（LTE）ネットワーク標準であるネットワークハンドオーバ方法。
【請求項２】
データサービスを無効にする操作命令を受信する前に、
前記端末を前記第２のネットワークにアタッチするステップを更に有する、請求項１に記載のハンドオーバ方法。
【請求項３】
前記端末により現在使用されている第２のネットワークを第１のネットワークにハンドオーバするステップは、
前記端末が前記第２のネットワークからデタッチされるように、デタッチ（Detach）要求を前記第２のネットワークのネットワーク側デバイスに送信するステップと、
前記端末が前記第１のネットワークにアタッチされるように、アタッチ（Attach）要求を前記第１のネットワークのネットワーク側デバイスに送信するステップと
を具体的に有する、請求項１又は２に記載のハンドオーバ方法。
【請求項４】
前記端末により現在使用されている第１のネットワークを第２のネットワークにハンドオーバするステップは、
ルーティングエリア更新（RAU）要求を前記第２のネットワークのネットワーク側デバイスに送信するステップと、
前記ネットワーク側デバイスが前記ルーティングエリア更新要求を受信した後に、前記端末が再選択を通じて前記第２のネットワークに戻ってハンドオーバするように、前記第２のネットワークのアイドル状態セルを再選択してキャンプするステップと
を具体的に有する、請求項１ないし３のうちいずれか１項に記載のハンドオーバ方法。
【請求項５】
受信ユニットと、第１のハンドオーバユニット又は第２のハンドオーバユニットとを有する端末であって、
前記受信ユニットは、データサービスを無効にする操作命令を受信するように構成され、
前記第１のハンドオーバユニットは、データサービスを無効にする前記操作命令に従って、前記端末により現在使用されている第２のネットワークを第１のネットワークにハンドオーバするように構成され、或いは、
前記受信ユニットは、データサービスを有効にする操作命令を受信するように更に構成され、
前記第２のハンドオーバユニットは、データサービスを有効にする前記操作命令に従って、前記端末により現在使用されている第１のネットワークを第２のネットワークにハンドオーバするように構成され、
前記第１のネットワークのネットワーク標準は、ユニバーサル移動通信システム（UMTS）ネットワーク標準又はグローバル移動通信システム（GSM）ネットワーク標準であり、前記第２のネットワークのネットワーク標準は、ロングタームエボリューション（LTE）ネットワーク標準である端末。
【請求項６】
前記端末を前記第２のネットワークにアタッチするように構成されたアタッチユニットを更に有する、請求項５に記載の端末。
【請求項７】
前記第１のハンドオーバユニットにより、前記端末により現在使用されている第２のネットワークを第１のネットワークにハンドオーバする処理は、具体的に、
前記端末が前記第２のネットワークからデタッチされるように、デタッチ（Detach）要求を前記第２のネットワークのネットワーク側デバイスに送信し、
前記端末が前記第１のネットワークにアタッチされるように、アタッチ（Attach）要求を前記第１のネットワークのネットワーク側デバイスに送信することである、請求項５又は６に記載の端末。
【請求項８】
前記第２のハンドオーバユニットにより、前記端末により現在使用されている第１のネットワークを第２のネットワークにハンドオーバする処理は、具体的に、
ルーティングエリア更新（RAU）要求を前記第２のネットワークのネットワーク側デバイスに送信し、前記ネットワーク側デバイスが前記ルーティングエリア更新要求を受信した後に、前記端末が再選択を通じて前記第２のネットワークに戻ってハンドオーバするように、前記第２のネットワークのアイドル状態セルを再選択してキャンプすることである、請求項５ないし７のうちいずれか１項に記載の端末。
【請求項９】
ネットワークインタフェースと、プロセッサとを有する端末であり、前記ネットワークインタフェース及び前記プロセッサは、バスを使用することにより接続される端末であって、
前記ネットワークインタフェースは、データサービスを無効にする操作命令を受信するように構成され、
前記プロセッサは、データサービスを無効にする前記操作命令に従って、前記端末により現在使用されている第２のネットワークを第１のネットワークにハンドオーバするように構成され、或いは、
前記ネットワークインタフェースは、データサービスを有効にする操作命令を受信するように更に構成され、
前記プロセッサは、データサービスを有効にする前記操作命令に従って、前記端末により現在使用されている第１のネットワークを第２のネットワークにハンドオーバするように構成され、
前記第１のネットワークのネットワーク標準は、ユニバーサル移動通信システム（UMTS）ネットワーク標準又はグローバル移動通信システム（GSM）ネットワーク標準であり、第２のネットワークのネットワーク標準は、ロングタームエボリューション（LTE）ネットワーク標準である端末。
【請求項１０】
前記ネットワークインタフェースがデータサービスを無効にする前記操作命令を受信する前に、前記プロセッサは、前記端末を前記第２のネットワークにアタッチするように更に構成される、請求項９に記載の端末。
【請求項１１】
前記プロセッサにより、前記端末により現在使用されている第２のネットワークを第１のネットワークにハンドオーバすることは、
前記端末が前記第２のネットワークからデタッチされるように、デタッチ（Detach）要求を前記第２のネットワークのネットワーク側デバイスに送信し、
前記端末が前記第１のネットワークにアタッチされるように、アタッチ（Attach）要求を前記第１のネットワークのネットワーク側デバイスに送信することを具体的に有する、請求項９又は１０に記載の端末。
【請求項１２】
前記プロセッサにより、前記端末により現在使用されている第１のネットワークを第２のネットワークにハンドオーバすることは、
ルーティングエリア更新（RAU）要求を前記第２のネットワークのネットワーク側デバイスに送信し、前記ネットワーク側デバイスが前記ルーティングエリア更新要求を受信した後に、前記端末が再選択を通じて前記第２のネットワークに戻ってハンドオーバするように、前記第２のネットワークのアイドル状態セルを再選択してキャンプすることを具体的に有する、請求項９ないし１１のうちいずれか１項に記載の端末。
【発明の詳細な説明】
【技術分野】
【０００１】
本発明は、通信分野に関し、特にネットワークハンドオーバ方法及び端末に関する。
【背景技術】
【０００２】
回線交換フォールバック（Circuit  Switched  Fall  Back、CSFB）技術は、ロングタームエボリューション（Long  Term  Evolution、LTE）端末が回線交換ドメインを用いて音声サービスを使用する技術である。１つのユーザ装置（User  Equipment、UE）は、LTEネットワークにしばしばキャンプ（camp）し、LTEネットワークにより提供されるデータサービスを使用する。音声呼を開始する場合又は音声呼を受信する場合、UEは、音声呼のために2G/3G回線交換ドメインネットワークにフォールバックし、次に、音声呼が終了した後にLTEネットワークにハンドオーバすることができる。
【０００３】
CSFB技術に基づくLTEネットワークの音声は、グローバル移動通信システム／ユニバーサル移動通信システム（Global  System  for  Mobile  Communication/Universal  Mobile  Telecommunications  System、GU、すなわち、2G/3G）ネットワークにより実現される。従って、高速データサービスのみがLTEネットワークで使用されることができ、LTEネットワーク上のUEの長期間のキャンプは、LTEネットワークリソースのかなりの浪費をもたらす。
【発明の概要】
【０００４】
本発明の実施例は、UEがパケット交換データサービスを実行する必要がある場合、高速データネットワークへのハンドオーバが実現されるような、ネットワークハンドオーバ方法及び端末を提供する。このことは、高速データネットワークリソースを節約する。
【０００５】
第１の態様によれば、本発明の実施例は、端末に適用されるネットワークハンドオーバ方法を提供し、この方法は、データサービスを無効にする操作命令を受信し、データサービスを無効にする操作命令に従って、端末により現在使用されている第２のネットワークを第１のネットワークにハンドオーバするステップ、又はデータサービスを有効にする操作命令を受信し、データサービスを有効にする操作命令に従って、端末により現在使用されている第１のネットワークを第２のネットワークにハンドオーバするステップを含み、第１のネットワークのネットワーク標準は、UMTSネットワーク標準又はGSMネットワーク標準であり、第２のネットワークのネットワーク標準は、LTEネットワーク標準である。
【０００６】
第１の態様に従って、第１の可能な実現方式では、データサービスを無効にする操作命令を受信する前に、この方法は、端末を第２のネットワークにアタッチするステップを更に含む。
【０００７】
第１の態様又は第１の態様の第１の可能な実現方式に従って、第２の可能な実現方式では、端末により現在使用されている第２のネットワークを第１のネットワークにハンドオーバするステップは、端末が第２のネットワークからデタッチされるように、デタッチ（Detach）要求を第２のネットワークのネットワーク側デバイスに送信するステップと、端末が第１のネットワークにアタッチされるように、アタッチ（Attach）要求を第１のネットワークのネットワーク側デバイスに送信するステップとを具体的に含む。
【０００８】
第１の態様又は第１の態様の第１若しくは第２の可能な実現方式に従って、第３の可能な実現方式では、端末により現在使用されている第１のネットワークを第２のネットワークにハンドオーバするステップは、ルーティングエリア更新（RAU）要求を第２のネットワークのネットワーク側デバイスに送信するステップと、ネットワーク側デバイスがルーティングエリア更新要求を受信した後に、端末が再選択を通じて第２のネットワークに戻ってハンドオーバするように、第２のネットワークのアイドル状態セルを再選択してキャンプするステップとを具体的に含む。
【０００９】
第２の態様によれば、本発明の実施例は、端末を提供し、端末は、受信ユニットと、第１のハンドオーバユニット又は第２のハンドオーバユニットとを含み、受信ユニットは、データサービスを無効にする操作命令を受信するように構成され、第１のハンドオーバユニットは、データサービスを無効にする操作命令に従って、端末により現在使用されている第２のネットワークを第１のネットワークにハンドオーバするように構成され、或いは、受信ユニットは、データサービスを有効にする操作命令を受信するように更に構成され、第２のハンドオーバユニットは、データサービスを有効にする操作命令に従って、端末により現在使用されている第１のネットワークを第２のネットワークにハンドオーバするように構成され、第１のネットワークのネットワーク標準は、UMTSネットワーク標準又はGSMネットワーク標準であり、第２のネットワークのネットワーク標準は、LTEネットワーク標準である。
【００１０】
第１の可能な実現方式では、端末は、端末を第２のネットワークにアタッチするように構成されたアタッチユニットを更に含む。
【００１１】
第２の態様又は第２の態様の第１の可能な実現方式に従って、第２の可能な実現方式では、第１のハンドオーバユニットにより、端末により現在使用されている第２のネットワークを第１のネットワークにハンドオーバする処理は、具体的に、端末が第２のネットワークからデタッチされるように、デタッチ（Detach）要求を第２のネットワークのネットワーク側デバイスに送信し、端末が第１のネットワークにアタッチされるように、アタッチ（Attach）要求を第１のネットワークのネットワーク側デバイスに送信することである。
【００１２】
第２の態様又は第２の態様の第１若しくは第２の可能な実現方式に従って、第３の可能な実現方式では、第２のハンドオーバユニットにより、端末により現在使用されている第１のネットワークを第２のネットワークにハンドオーバする処理は、具体的に、ルーティングエリア更新（RAU）要求を第２のネットワークのネットワーク側デバイスに送信し、ネットワーク側デバイスがルーティングエリア更新要求を受信した後に、端末が再選択を通じて第２のネットワークに戻ってハンドオーバするように、第２のネットワークのアイドル状態セルを再選択してキャンプすることである。
【００１３】
第３の態様によれば、本発明の実施例は、端末を更に提供し、端末は、ネットワークインタフェースと、プロセッサとを含み、ネットワークインタフェース及びプロセッサは、バスを使用することにより接続され、ネットワークインタフェースは、データサービスを無効にする操作命令を受信するように構成され、プロセッサは、データサービスを無効にする操作命令に従って、端末により現在使用されている第２のネットワークを第１のネットワークにハンドオーバするように構成され、或いは、ネットワークインタフェースは、データサービスを有効にする操作命令を受信するように更に構成され、プロセッサは、データサービスを有効にする操作命令に従って、端末により現在使用されている第１のネットワークを第２のネットワークにハンドオーバするように構成され、第１のネットワークのネットワーク標準は、UMTSネットワーク標準又はGSMネットワーク標準であり、第２のネットワークのネットワーク標準は、LTEネットワーク標準である。
【００１４】
第１の可能な実現方式では、ネットワークインタフェースがデータサービスを無効にする操作命令を受信する前に、プロセッサは、端末を第２のネットワークにアタッチするように更に構成される。
【００１５】
第３の態様又は第３の態様の第１の可能な実現方式に従って、第２の可能な実現方式では、プロセッサにより、端末により現在使用されている第２のネットワークを第１のネットワークにハンドオーバすることは、端末が第２のネットワークからデタッチされるように、デタッチ（Detach）要求を第２のネットワークのネットワーク側デバイスに送信し、端末が第１のネットワークにアタッチされるように、アタッチ（Attach）要求を第１のネットワークのネットワーク側デバイスに送信することを具体的に含む。
【００１６】
第３の態様又は第３の態様の第１若しくは第２の可能な実現方式に従って、第３の可能な実現方式では、プロセッサにより、端末により現在使用されている第１のネットワークを第２のネットワークにハンドオーバすることは、ルーティングエリア更新（RAU）要求を第２のネットワークのネットワーク側デバイスに送信し、ネットワーク側デバイスがルーティングエリア更新要求を受信した後に、端末が再選択を通じて第２のネットワークに戻ってハンドオーバするように、第２のネットワークのアイドル状態セルを再選択してキャンプすることを具体的に含む。
【００１７】
本発明の実施例により提供されるネットワークハンドオーバ方法及び端末では、端末は、データサービスを無効にする操作命令を受信し、データサービスを無効にする操作命令に従って、端末により現在使用されている第２のネットワークを第１のネットワークにハンドオーバし、或いは、データサービスを有効にする操作命令を受信し、データサービスを有効にする操作命令に従って、端末により現在使用されている第１のネットワークを第２のネットワークにハンドオーバし、第１のネットワークのネットワーク標準は、UMTSネットワーク標準又はGSMネットワーク標準であり、第２のネットワークのネットワーク標準は、LTEネットワーク標準である。従って、本発明では、UEがデータサービスを無効にし、高速データネットワークを使用しない場合、第１のネットワークへの自動ハンドオーバが実行され、端末は、第１のネットワークにより提供されるサービスを使用してもよい。UEがパケット交換データサービスを実行する必要がある場合、端末が第１のネットワークと第２のネットワークとの間でハンドオーバするように、第２のネットワークへのネットワーク標準のハンドオーバが実行され、これにより、高速データネットワークのネットワークリソースを低減する。
【図面の簡単な説明】
【００１８】
【図１】本発明の実施例によるネットワークハンドオーバ方法のフローチャート
【図２】本発明の実施例による端末の概略図
【図３】本発明の実施例による他の端末の概略図
【発明を実施するための形態】
【００１９】
本発明の技術的対策について、以下のように添付図面及び実施例を参照して詳細に更に説明する。
【００２０】
図１は、本発明の実施例によるネットワークハンドオーバ方法のフローチャートである。この実施例は、端末により実行される。この実施例は、第２のネットワークに現在キャンプしている端末がユーザからデータサービスを無効にする操作命令を受信した後に、端末が端末により現在使用されているネットワークを第１のネットワークにハンドオーバする処理を詳細に説明し、端末がデータサービスを有効にする操作命令を受信した後に、端末が第２のネットワークに再ハンドオーバする処理を説明する。図１に示すように、この実施例は以下のステップを含む。
【００２１】
ステップ101：データサービスを無効にする操作命令を受信し、データサービスを無効にする操作命令に従って、端末により現在使用されている第２のネットワークを第１のネットワークにハンドオーバする。
【００２２】
本発明のこの実施例では、端末がLTEによりカバされるエリア内で電源オンされた後に、端末は、ネットワーク選択を実行し、LTEネットワークにキャンプする。
【００２３】
ユーザがパケット交換（Packet  Switch、PS）サービスを実行する必要がない場合、端末のデータサービスは、タッチ操作又はクリック操作を用いて無効にされてもよい。ユーザからデータサービスを無効にする操作命令が受信されたと決定した場合、端末は、まず、LTE無線リソースを解放するために、パケットデータプロトコル（Packet  Data  Protocol、PDP）コンテキストをディアクティベートする操作を実行する。LTE無線リソースを解放した後に、端末は、元々使用されている第２のネットワーク（LTEネットワーク標準のネットワーク等）を第１のネットワーク（2G/3Gネットワーク標準のネットワーク等）にハンドオーバする。
【００２４】
第１のネットワークのネットワーク標準は、GSMネットワーク標準又はUMTSネットワーク標準であり、第２のネットワークのネットワーク標準は、LTEネットワーク標準である。
【００２５】
具体的に、端末により現在使用されている第２のネットワークを第１のネットワークにハンドオーバすることは、端末が第２のネットワークからデタッチされるように、デタッチ（Detach）要求を第２のネットワークのネットワーク側デバイスに送信し、端末が第１のネットワークにアタッチされるように、アタッチ（Attach）要求を第１のネットワークのネットワーク側デバイスに送信することを具体的に含む。
【００２６】
端末とLTEネットワーク側との間のデタッチ（Detach）操作を実行する処理と、端末と2G/3Gネットワーク側との間でアタッチ（Attach）操作を実行する処理との双方は、従来技術に属する。本発明のこの実施例は、これらの処理を具体的に限定するものでなく、詳細はここでは説明しない。
【００２７】
ユーザが高速データサービスを必要としない場合、データサービスは、ステップ101の操作を用いて無効にされてもよく、2G/3Gネットワークへの自動ハンドオーバが実行される。このように、端末は、2G/3Gネットワークにより提供される回線交換（Circuit  Switched、CS）サービスを使用してもよい。端末がこの期間の間に音声呼を受信した場合、端末は、2G/3Gネットワークのものと同じ呼接続体験を享受してもよい。一般的に、スマート端末のユーザは、ユーザがデータサービスを使用しない場合にデータサービスを無効にする。従って、この操作は、呼接続体験を有効に改善することができる。
【００２８】
ステップ102：データサービスを有効にする操作命令を受信し、データサービスを有効にする操作命令に従って、端末により現在使用されている第１のネットワークを第２のネットワークにハンドオーバする。
【００２９】
ユーザがPSサービスを実行する必要がある場合、端末のデータサービスは、タッチ操作又はクリック操作を用いて無効にされてもよい。ユーザからデータサービスを無効にする操作命令を受信した場合、端末は、元々使用されている第１のネットワーク（2G/3Gネットワーク標準のネットワーク等）から第２のネットワーク（LTEネットワーク標準のネットワーク等）にハンドオーバする。
【００３０】
端末により現在使用されているネットワークを第２のネットワークにハンドオーバすることは、RAU要求を第２のネットワークのネットワーク側デバイスに送信し、ネットワーク側デバイスがルーティングエリア更新要求を受信した後に、端末が再選択を通じて第２のネットワークに戻ってハンドオーバするように、第２のネットワークのアイドル状態セルを再選択してキャンプすることを具体的に含む。
【００３１】
端末は、端末自体によりサポートされるネットワーク標準を第２のネットワークに設定するため、このことは、端末が既にLTE機能を有することを示しており、PDPコンテキストをアクティベートした後に、端末は、端末がLTEネットワークをサポートすることを示す情報をネットワーク側に通知するために、ルーティングエリア更新（RAU）要求を送信し、ネットワーク側がルーティングエリア更新要求を受信した後に、端末は、アイドル状態セルを再選択し、LTEネットワークに戻ってハンドオーバする点に留意すべきである。ルーティングエリア更新及びアイドル状態セルの再選択の双方は、従来技術に属する。本発明のこの実施例は、これらの処理を具体的に限定するものでなく、詳細はここでは説明しない。
【００３２】
端末が現在LTEネットワークのカバレッジ内に位置しない場合、端末は、選択を通じてLTEネットワークにキャンプすることはできず、すなわち、端末は、第２のネットワークにハンドオーバすることはできず、この時点で、端末は、依然としてUMTSネットワーク又はGSMネットワークにキャンプしてもよい。しかし、端末がLTEネットワークのカバレッジに移動した場合、端末は、再選択を通じてLTEネットワークにハンドオーバする。
【００３３】
本発明のこの実施例では、端末は、データサービスを無効にする操作命令を受信し、データサービスを無効にする操作命令に従って、端末により現在使用されている第２のネットワークを第１のネットワークにハンドオーバし、或いは、データサービスを有効にする操作命令を受信し、データサービスを有効にする操作命令に従って、端末により現在使用されている第１のネットワークを第２のネットワークにハンドオーバし、第１のネットワークのネットワーク標準は、UMTSネットワーク標準又はGSMネットワーク標準であり、第２のネットワークのネットワーク標準は、LTEネットワーク標準である。従って、本発明では、UEがデータサービスを無効にし、高速データネットワークを使用しない場合、第１のネットワークへの自動ハンドオーバが実行され、端末は、第１のネットワークにより提供されるサービスを使用してもよい。UEがパケット交換データサービスを実行する必要がある場合、端末が第１のネットワークと第２のネットワークとの間でハンドオーバするように、第２のネットワークへのネットワーク標準のハンドオーバが実行され、これにより、高速データネットワークのネットワークリソースを低減する。
【００３４】
対応して、本発明は、端末を更に提供する。図２は、本発明の実施例による端末の概略図である。図２に示すように、この実施例により提供される端末は、受信ユニット201と、第１のハンドオーバユニット202又は第２のハンドオーバユニット203とを含む。
【００３５】
受信ユニット201は、データサービスを無効にする操作命令を受信するように構成される。
【００３６】
第１のハンドオーバユニット202は、データサービスを無効にする操作命令に従って、端末により現在使用されている第２のネットワークを第１のネットワークにハンドオーバするように構成される。
【００３７】
第１のハンドオーバユニット202により、端末により現在使用されている第２のネットワークを第１のネットワークにハンドオーバする処理は、具体的に、端末が第２のネットワークからデタッチされるように、デタッチ（Detach）要求を第２のネットワークのネットワーク側デバイスに送信し、端末が第１のネットワークにアタッチされるように、アタッチ（Attach）要求を第１のネットワークのネットワーク側デバイスに送信することである。
【００３８】
第２のネットワークのネットワーク標準は、LTEネットワーク標準であり、第１のネットワークのネットワーク標準は、GSMネットワーク標準又はUMTSネットワーク標準である。
【００３９】
本発明のこの実施例により提供される端末は、アタッチユニット204を更に含み、アタッチユニットは、端末を第２のネットワークにアタッチするように構成される。アタッチユニット204は、移動端末がLTEによりカバされるエリア内で電源オンされた後に、移動端末が、ネットワーク選択を実行し、LTEネットワークにキャンプすることを確保することができる。
【００４０】
ユーザからデータサービスを無効にする操作命令が受信された場合、端末は、まず、LTE無線リソースを解放するために、PDPコンテキストをディアクティベートする操作を実行する。LTE無線リソースを解放した後に、端末は、元々使用されている第２のネットワーク（LTEネットワーク標準のネットワーク等）を第１のネットワーク（2G/3Gネットワーク標準のネットワーク等）にハンドオーバする。
【００４１】
ユーザが高速データサービスを必要としない場合、第１のハンドオーバユニット201は、データサービスを無効にし、2G/3Gネットワークに自動的にハンドオーバしてもよい。このように、端末は、2G/3Gネットワークにより提供されるCSサービスを使用してもよい。端末がこの期間の間に音声呼を受信した場合、端末は、2G/3Gネットワークのものと同じ呼接続体験を享受してもよい。一般的に、スマート端末のユーザは、ユーザがデータサービスを使用しない場合にデータサービスを無効にする。従って、この操作は、呼接続体験を有効に改善することができる。
【００４２】
受信ユニット201は、データサービスを有効にする操作命令を受信するように更に構成される。
【００４３】
第２のハンドオーバユニット203は、データサービスを有効にする操作命令に従って、端末により現在使用されている第１のネットワークを第２のネットワークにハンドオーバするように構成される。
【００４４】
第２のハンドオーバユニット203により、端末により現在使用されている第１のネットワークを第２のネットワークにハンドオーバする処理は、具体的に、RAU要求を第２のネットワークのネットワーク側デバイスに送信し、ネットワーク側デバイスがルーティングエリア更新要求を受信した後に、端末が再選択を通じて第２のネットワークに戻ってハンドオーバするように、第２のネットワークのアイドル状態セルを再選択してキャンプすることである。
【００４５】
ユーザがPSサービスを実行する必要がある場合、端末のデータサービスは、タッチ操作又はクリック操作を用いて無効にされてもよい。ユーザからデータサービスを無効にする操作命令を受信した場合、端末は、元々使用されている第１のネットワーク（2G/3Gネットワーク標準のネットワーク等）から第２のネットワーク（LTEネットワーク標準のネットワーク等）にハンドオーバする。
【００４６】
端末は、端末自体によりサポートされるネットワーク標準を第２のネットワークに設定するため、このことは、端末が既にLTE機能を有することを示しており、PDPコンテキストをアクティベートした後に、端末は、端末がLTEネットワークをサポートすることを示す情報をネットワーク側に通知するために、ルーティングエリア更新（RAU）要求を送信し、ネットワーク側がルーティングエリア更新要求を受信した後に、端末は、アイドル状態セルを再選択し、LTEネットワークに戻ってハンドオーバする点に留意すべきである。ルーティングエリア更新及びアイドル状態セルの再選択の双方は、従来技術に属する。本発明のこの実施例は、これらの処理を具体的に限定するものでなく、詳細はここでは説明しない。
【００４７】
端末が現在LTEネットワークのカバレッジ内に位置しない場合、端末は、選択を通じてLTEネットワークにキャンプすることはできず、すなわち、端末は、第２のネットワークにハンドオーバすることはできず、この時点で、端末は、依然としてUMTSネットワーク又はGSMネットワークにキャンプしてもよい。しかし、端末がLTEネットワークのカバレッジに移動した場合、端末は、再選択を通じてLTEネットワークにハンドオーバする。
【００４８】
本発明のこの実施例では、端末は、データサービスを無効にする操作命令を受信し、データサービスを無効にする操作命令に従って、端末により現在使用されている第２のネットワークを第１のネットワークにハンドオーバし、或いは、データサービスを有効にする操作命令を受信し、データサービスを有効にする操作命令に従って、端末により現在使用されている第１のネットワークを第２のネットワークにハンドオーバし、第１のネットワークのネットワーク標準は、UMTSネットワーク標準又はGSMネットワーク標準であり、第２のネットワークのネットワーク標準は、LTEネットワーク標準である。従って、本発明では、UEがデータサービスを無効にし、高速データネットワークを使用しない場合、第１のネットワークへの自動ハンドオーバが実行され、端末は、第１のネットワークにより提供されるサービスを使用してもよい。UEがパケット交換データサービスを実行する必要がある場合、端末が第１のネットワークと第２のネットワークとの間でハンドオーバするように、第２のネットワークへのネットワーク標準のハンドオーバが実行され、これにより、高速データネットワークのネットワークリソースを低減する。
【００４９】
対応して、本発明の実施例は、端末を更に提供する。図３は、本発明のこの実施例による他の端末の概略図である。図３に示すように、この実施例により提供される端末は、ネットワークインタフェース301と、プロセッサ302とを含み、ネットワークインタフェース301及びプロセッサ302は、バス303を使用することにより接続される。端末は、プログラムコードを記憶し、プログラムコードをプロセッサに送出するように構成されたメモリ304を更に含む。メモリは、揮発性メモリ、不揮発性メモリ、ハードディスク等を含んでもよく、メモリはまた、前述の種類のメモリの組み合わせを含んでもよい。メモリ304は、バス303を使用することにより、プロセッサ及びネットワークインタフェースに接続される。ネットワークインタフェース301は、データサービスを無効にする操作命令を受信するように構成され、プロセッサ302は、データサービスを無効にする操作命令に従って、端末により現在使用されている第２のネットワークを第１のネットワークにハンドオーバするように構成され、或いは、ネットワークインタフェース301は、データサービスを有効にする操作命令を受信するように更に構成され、プロセッサ302は、データサービスを有効にする操作命令に従って、端末により現在使用されている第１のネットワークを第２のネットワークにハンドオーバするように構成される。第１のネットワークのネットワーク標準は、UMTSネットワーク標準又はGSMネットワーク標準であり、第２のネットワークのネットワーク標準は、LTEネットワーク標準である。
【００５０】
更に、ネットワークインタフェース301がデータサービスを無効にする操作命令を受信する前に、プロセッサ302は、端末を第２のネットワークにアタッチするように更に構成される。
【００５１】
更に、プロセッサ302プロセッサにより、端末により現在使用されている第２のネットワークを第１のネットワークにハンドオーバすることは、端末が第２のネットワークからデタッチされるように、デタッチ（Detach）要求を第２のネットワークのネットワーク側デバイスに送信し、端末が第１のネットワークにアタッチされるように、アタッチ（Attach）要求を第１のネットワークのネットワーク側デバイスに送信することを具体的に含む。
【００５２】
更に、プロセッサ302プロセッサにより、端末により現在使用されている第１のネットワークを第２のネットワークにハンドオーバすることは、ルーティングエリア更新（RAU）要求を第２のネットワークのネットワーク側デバイスに送信し、ネットワーク側デバイスがルーティングエリア更新要求を受信した後に、端末が再選択を通じて第２のネットワークに戻ってハンドオーバするように、第２のネットワークのアイドル状態セルを再選択してキャンプすることを具体的に含む。
【００５３】
従って、本発明では、UEがデータサービスを無効にし、高速データネットワークを使用しない場合、第１のネットワークへの自動ハンドオーバが実行され、端末は、第１のネットワークにより提供されるサービスを使用してもよい。UEがパケット交換データサービスを実行する必要がある場合、端末が第１のネットワークと第２のネットワークとの間でハンドオーバするように、第２のネットワークへのネットワーク標準のハンドオーバが実行され、これにより、高速データネットワークのネットワークリソースを低減する。
【００５４】
当業者は、この明細書に開示された実施例に記載の例と組み合わせて、ユニット及びアルゴリズムのステップが電子ハードウェア、コンピュータソフトウェア、又はこれらの組み合わせにより実現されてもよいことを更に認識し得る。ハードウェアとソフトウェアとの間の互換性を明確に説明するために、前述では、機能に従って各例の構成及びステップを一般的に説明した。機能がハードウェアにより実行されるかソフトウェアにより実行されるかは、技術的対策の特定の用途及び設計上の制約条件に依存する。当業者は、特定の用途毎に記載の機能を実現するために異なる方法を使用してもよいが、この実現は、本発明の範囲を超えるものとして考えられるべきではない。
【００５５】
この明細書に開示された実施例に記載の方法又はアルゴリズムのステップは、ハードウェア、プロセッサにより実行されるソフトウェアモジュール、又はこれらの組み合わせにより実現されてもよい。ソフトウェアモジュールは、ランダムアクセスメモリ（RAM）、メモリ、読み取り専用メモリ（ROM）、電気的プログラム可能ROM、電気的消去可能プログラム可能ROM、レジスタ、ハードディスク、取り外し可能ディスク、CD-ROM、又は当該技術分野において既知の他の形式の記憶媒体に存在してもよい。
【００５６】
前述の具体的な実現方式では、本発明の目的、技術的対策及び利点が詳細に更に説明される。前述の説明は、本発明の単に具体的な実現方式に過ぎず、本発明の保護範囲を限定することを意図するものではないことが認識されるべきである。本発明の要旨及び原理から逸脱することなく行われる如何なる変更、等価置換、又は改善も、本発明の保護範囲内に入るべきである。
【図１】
2016537895.tif 000003
【図２】
2016537895.tif 000004
【図３】
2016537895.tif 000005
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
端末に適用されるネットワークハンドオーバ方法であって、
データサービスを無効にする操作命令を受信し、データサービスを無効にする前記操作命令に従って、前記端末により現在使用されている第２のネットワークを第１のネットワークにハンドオーバするステップ、又は
データサービスを有効にする操作命令を受信し、データサービスを有効にする前記操作命令に従って、前記端末により現在使用されている第１のネットワークを第２のネットワークにハンドオーバするステップを有し、
前記第１のネットワークのネットワーク標準は、ユニバーサル移動通信システム（UMTS）ネットワーク標準又はグローバル移動通信システム（GSM）ネットワーク標準であり、前記第２のネットワークのネットワーク標準は、ロングタームエボリューション（LTE）ネットワーク標準であるネットワークハンドオーバ方法。
【請求項２】
データサービスを無効にする操作命令を受信する前に、
前記端末を前記第２のネットワークにアタッチするステップを更に有する、請求項１に記載のハンドオーバ方法。
【請求項３】
前記端末により現在使用されている第２のネットワークを第１のネットワークにハンドオーバするステップは、
前記端末が前記第２のネットワークからデタッチされるように、デタッチ要求を前記第２のネットワークのネットワーク側デバイスに送信するステップと、
前記端末が前記第１のネットワークにアタッチされるように、アタッチ（attach）要求を前記第１のネットワークのネットワーク側デバイスに送信するステップと
を有する、請求項１又は２に記載のハンドオーバ方法。
【請求項４】
前記端末により現在使用されている第１のネットワークを第２のネットワークにハンドオーバするステップは、
ルーティングエリア更新（RAU）要求を前記第２のネットワークのネットワーク側デバイスに送信するステップと、
前記ネットワーク側デバイスが前記ルーティングエリア更新要求を受信した後に、前記端末が再選択を通じて前記第２のネットワークに戻ってハンドオーバするように、前記第２のネットワークのアイドル状態セルを再選択してキャンプするステップと
を有する、請求項１ないし３のうちいずれか１項に記載のハンドオーバ方法。
【請求項５】
受信ユニットと、第１のハンドオーバユニット又は第２のハンドオーバユニットとを有する端末であって、
前記受信ユニットは、データサービスを無効にする操作命令を受信するように構成され、
前記第１のハンドオーバユニットは、データサービスを無効にする前記操作命令に従って、前記端末により現在使用されている第２のネットワークを第１のネットワークにハンドオーバするように構成され、或いは、
前記受信ユニットは、データサービスを有効にする操作命令を受信するように更に構成され、
前記第２のハンドオーバユニットは、データサービスを有効にする前記操作命令に従って、前記端末により現在使用されている第１のネットワークを第２のネットワークにハンドオーバするように構成され、
前記第１のネットワークのネットワーク標準は、ユニバーサル移動通信システム（UMTS）ネットワーク標準又はグローバル移動通信システム（GSM）ネットワーク標準であり、前記第２のネットワークのネットワーク標準は、ロングタームエボリューション（LTE）ネットワーク標準である端末。
【請求項６】
前記端末を前記第２のネットワークにアタッチするように構成されたアタッチユニットを更に有する、請求項５に記載の端末。
【請求項７】
前記第１のハンドオーバユニットにより、前記端末により現在使用されている第２のネットワークを第１のネットワークにハンドオーバする処理は、
前記端末が前記第２のネットワークからデタッチされるように、デタッチ要求を前記第２のネットワークのネットワーク側デバイスに送信し、
前記端末が前記第１のネットワークにアタッチされるように、アタッチ（attach）要求を前記第１のネットワークのネットワーク側デバイスに送信することである、請求項５又は６に記載の端末。
【請求項８】
前記第２のハンドオーバユニットにより、前記端末により現在使用されている第１のネットワークを第２のネットワークにハンドオーバする処理は、
ルーティングエリア更新（RAU）要求を前記第２のネットワークのネットワーク側デバイスに送信し、前記ネットワーク側デバイスが前記ルーティングエリア更新要求を受信した後に、前記端末が再選択を通じて前記第２のネットワークに戻ってハンドオーバするように、前記第２のネットワークのアイドル状態セルを再選択してキャンプすることである、請求項５ないし７のうちいずれか１項に記載の端末。
【請求項９】
ネットワークインタフェースと、プロセッサとを有する端末であり、前記ネットワークインタフェース及び前記プロセッサは、バスを使用することにより接続される端末であって、
前記ネットワークインタフェースは、データサービスを無効にする操作命令を受信するように構成され、
前記プロセッサは、データサービスを無効にする前記操作命令に従って、前記端末により現在使用されている第２のネットワークを第１のネットワークにハンドオーバするように構成され、或いは、
前記ネットワークインタフェースは、データサービスを有効にする操作命令を受信するように更に構成され、
前記プロセッサは、データサービスを有効にする前記操作命令に従って、前記端末により現在使用されている第１のネットワークを第２のネットワークにハンドオーバするように構成され、
前記第１のネットワークのネットワーク標準は、ユニバーサル移動通信システム（UMTS）ネットワーク標準又はグローバル移動通信システム（GSM）ネットワーク標準であり、第２のネットワークのネットワーク標準は、ロングタームエボリューション（LTE）ネットワーク標準である端末。
【請求項１０】
前記ネットワークインタフェースがデータサービスを無効にする前記操作命令を受信する前に、前記プロセッサは、前記端末を前記第２のネットワークにアタッチするように更に構成される、請求項９に記載の端末。
【請求項１１】
前記プロセッサにより、前記端末により現在使用されている第２のネットワークを第１のネットワークにハンドオーバすることは、
前記端末が前記第２のネットワークからデタッチされるように、デタッチ要求を前記第２のネットワークのネットワーク側デバイスに送信し、
前記端末が前記第１のネットワークにアタッチされるように、アタッチ（attach）要求を前記第１のネットワークのネットワーク側デバイスに送信することを有する、請求項９又は１０に記載の端末。
【請求項１２】
前記プロセッサにより、前記端末により現在使用されている第１のネットワークを第２のネットワークにハンドオーバすることは、
ルーティングエリア更新（RAU）要求を前記第２のネットワークのネットワーク側デバイスに送信し、前記ネットワーク側デバイスが前記ルーティングエリア更新要求を受信した後に、前記端末が再選択を通じて前記第２のネットワークに戻ってハンドオーバするように、前記第２のネットワークのアイドル状態セルを再選択してキャンプすることを有する、請求項９ないし１１のうちいずれか１項に記載の端末。
【手続補正２】
【補正対象書類名】明細書
【補正対象項目名】００２９
【補正方法】変更
【補正の内容】
【００２９】
ユーザがPSサービスを実行する必要がある場合、端末のデータサービスは、タッチ操作又はクリック操作を用いて有効にされてもよい。ユーザからデータサービスを有効にする操作命令を受信した場合、端末は、元々使用されている第１のネットワーク（2G/3Gネットワーク標準のネットワーク等）から第２のネットワーク（LTEネットワーク標準のネットワーク等）にハンドオーバする。
【手続補正３】
【補正対象書類名】明細書
【補正対象項目名】００４５
【補正方法】変更
【補正の内容】
【００４５】
ユーザがPSサービスを実行する必要がある場合、端末のデータサービスは、タッチ操作又はクリック操作を用いて有効にされてもよい。ユーザからデータサービスを有効にする操作命令を受信した場合、端末は、元々使用されている第１のネットワーク（2G/3Gネットワーク標準のネットワーク等）から第２のネットワーク（LTEネットワーク標準のネットワーク等）にハンドオーバする。
【手続補正４】
【補正対象書類名】明細書
【補正対象項目名】００５１
【補正方法】変更
【補正の内容】
【００５１】
更に、プロセッサ302により、端末により現在使用されている第２のネットワークを第１のネットワークにハンドオーバすることは、端末が第２のネットワークからデタッチされるように、デタッチ（Detach）要求を第２のネットワークのネットワーク側デバイスに送信し、端末が第１のネットワークにアタッチされるように、アタッチ（Attach）要求を第１のネットワークのネットワーク側デバイスに送信することを具体的に含む。
【手続補正５】
【補正対象書類名】明細書
【補正対象項目名】００５２
【補正方法】変更
【補正の内容】
【００５２】
更に、プロセッサ302により、端末により現在使用されている第１のネットワークを第２のネットワークにハンドオーバすることは、ルーティングエリア更新（RAU）要求を第２のネットワークのネットワーク側デバイスに送信し、ネットワーク側デバイスがルーティングエリア更新要求を受信した後に、端末が再選択を通じて第２のネットワークに戻ってハンドオーバするように、第２のネットワークのアイドル状態セルを再選択してキャンプすることを具体的に含む。
【手続補正６】
【補正対象書類名】図面
【補正対象項目名】図２
【補正方法】変更
【補正の内容】
【図２】
2016537895.tif 000006
【国際調査報告】
2016537895.tif 000007
2016537895.tif 000008
2016537895.tif 000009
2016537895.tif 000010
2016537895.tif 000011
2016537895.tif 000012